(57)【要約】【課題】発振周波数の調整の自動化を図ることのできるＦＭ送信回路を提供する。【解決手段】音声を入力して該音声に対応するアナログ音声信号を出力するマイク８と、マイク８が出力するアナログ音声信号を増幅するマイクアンプ９と、該アンプ９により増幅された音声増幅信号を入力して周波数変調を行うＦＭ変調回路１１と、制御電圧設定値を記憶するフラッシュメモリを有する制御部２とを備え、ＦＭ変調回路１１は、音声増幅信号の電位に応じて発振周波数が変化する電圧制御発振器１２により主構成され、制御部２は、フラッシュメモリに記憶された制御電圧設定値に基づいて音声増幅信号に対する制御バイアス電圧を生成して電圧制御発振器１２に出力し、これにより発振周波数が調整されるように構成する。【選択図】図１
2015159443.tif 000002
【特許請求の範囲】
【請求項１】
音声を入力して該音声に対応するアナログ音声信号を出力する音声信号入力部と、該音声信号入力部が出力するアナログ音声信号を増幅する増幅回路と、該増幅回路により増幅された音声増幅信号を入力して周波数変調を行うＦＭ変調回路とを備え、該ＦＭ変調回路は、前記音声増幅信号の電位に応じて発振周波数が変化する電圧制御発振器により主構成されたＦＭ送信回路において、
制御電圧設定値を記憶する書換可能不揮発性メモリにより構成された制御電圧記憶部を有する制御部をさらに備え、該制御部は、前記制御電圧記憶部に記憶された制御電圧設定値に基づいて前記音声増幅信号に対する制御バイアス電圧を生成して前記電圧制御発振器に出力するように構成されていることを特徴とするＦＭ送信回路。
【請求項２】
請求項１に記載のＦＭ送信回路において、前記制御部は、前記ＦＭ変調回路の出力信号を検査する外部の検査装置の出力信号を入力して前記検査装置の出力信号に基づいて前記制御電圧記憶部に記憶された制御電圧設定値を書き換えるように構成されていることを特徴とするＦＭ送信回路。
【請求項３】
音声を入力して該音声に対応するアナログ音声信号を出力する音声信号入力部と、該音声信号入力部が出力するアナログ音声信号を増幅する増幅回路と、該増幅回路により増幅された音声増幅信号の振幅を補正する振幅補正回路と、前記音声増幅信号を前記振幅補正回路を介して入力して周波数変調を行うＦＭ変調回路と、書換可能不揮発性メモリにより構成した制御電圧記憶部とを備え、前記ＦＭ変調回路は前記音声増幅信号の電位に応じて発振周波数が変化する電圧制御発振器により主構成され、動作時に前記制御電圧記憶部に記憶された制御電圧設定値に基づいて前記音声増幅信号に対する制御バイアス電圧を生成して前記電圧制御発振器に出力するＦＭ送信回路における制御電圧校正方法であって、前記制御電圧記憶部に記憶された制御電圧設定値を、前記ＦＭ変調回路の出力信号を検査する外部の検査装置の出力信号に基づいて予め設定しておくことを特徴とするＦＭ送信回路における発振周波数校正方法。
【発明の詳細な説明】
【技術分野】
【０００１】
本発明は、ＦＭ送信回路、並びに、ＦＭ送信回路における発振周波数校正方法に関し、特に給湯器用のインターホン回路を内蔵するリモコンに好適に用いることのできるものに関する。
【背景技術】
【０００２】
従来より、本願出願人は、浴室に設置されるリモコン（通称「風呂リモコン」）と、台所やリビングなどの浴室以外の場所に設置されるリモコン（通称「台所リモコン」）とを備える給湯システムの開発を行っており、上記リモコンに他のリモコンとの間の音声通話機能を具備させている。
【０００３】
かかる従来の音声通話機能は、下記の特許文献１に開示されているように、ＦＭ方式のインターホン回路によって構成されている。該インターホン回路は、マイクが出力する音声信号を増幅・周波数変調してなる変調信号（ＦＭ変調波）を他のリモコンに送信するＦＭ送信回路と、他のリモコンから受信した変調信号を復調・増幅してスピーカーに出力するＦＭ受信回路とを備えており、上記変調信号の送受信は、各リモコンの制御部間で情報の送受信をデジタル通信により行う二芯通信線を用いて行うように構成されている。上記ＦＭ送信回路は、音声を入力してアナログ音声信号を出力するマイクと、マイクが出力する微弱なアナログ音声信号を増幅するマイクアンプ（増幅回路）と、該マイクアンプにより増幅された音声増幅信号を入力して周波数変調を行うＦＭ変調回路とを備えている。また、ＦＭ受信回路は、受信した変調信号を復調するＦＭ復調回路と、該ＦＭ復調回路によって復調されたアナログ音声信号を増幅してスピーカーに出力するスピーカーアンプとを備えている。
【０００４】
かかる従来のインターホン回路構成のＦＭ変調回路は、一般的に電圧制御発振器（ＶＣＯ）により主構成されている。該電圧制御発振器は、ＤＣ電圧で発振周波数を制御し得る発振器であり、バリキャップ（可変容量ダイオード）とコイルとのＬＣ共振により発振させており、発振周波数はコイル及びバリキャップの容量に依存する。バリキャップは、逆電圧を変化させると静電容量が変化する特性があり、該バリキャップに音声増幅信号を印加することで、音声増幅信号の電位に応じて発振周波数が変化し、周波数変調を行うことができる。
【０００５】
給湯器リモコンで使われるインターホン回路用の発振回路はＬＣ共振のため、製品個体毎の製造誤差により周波数精度が悪く、各個体毎に発振周波数の調整を行う必要がある。従来の発振周波数調整方法としては、可変抵抗器などでバリキャップの逆電圧を可変として調整する方法や、コイルと並列接続されたトリマコンデンサによって共振周波数を調整する方法などがあった。
【先行技術文献】
【特許文献】
【０００６】
【特許文献１】特開２０１３−２１１６１４号公報
【発明の概要】
【発明が解決しようとする課題】
【０００７】
しかし、可変抵抗器やトリマコンデンサはいずれも調整ドライバを用いて人手により調整作業を行う必要があり、このような調整作業は煩雑であるとともに作業時間が比較的長くなり、人件費増による製造コスト増を招くという問題があるとともに、これら可変抵抗器やトリマコンデンサはリモコンケース内に組み込まれるものであるため、一度ケーシングすると再調整が不可能になる。
【０００８】
そこで本発明は、ＦＭ変調回路の発振周波数の調整の自動化を図ることのできるＦＭ送信回路、並びに、該ＦＭ送信回路における発振周波数校正方法を提供することを目的とする。
【課題を解決するための手段】
【０００９】
上記目的を達成するために、本発明は、次の技術的手段を講じた。
【００１０】
すなわち、本発明は、音声を入力して該音声に対応するアナログ音声信号を出力する音声信号入力部と、該音声信号入力部が出力するアナログ音声信号を増幅する増幅回路と、該増幅回路により増幅された音声増幅信号を入力して周波数変調を行うＦＭ変調回路とを備え、該ＦＭ変調回路は、前記音声増幅信号の電位に応じて発振周波数が変化する電圧制御発振器により主構成されたＦＭ送信回路において、制御電圧設定値を記憶する書換可能不揮発性メモリにより構成された制御電圧記憶部を有する制御部をさらに備え、該制御部は、前記制御電圧記憶部に記憶された制御電圧設定値に基づいて前記音声増幅信号に対する制御バイアス電圧を生成して前記電圧制御発振器に出力するように構成されていることを特徴とするものである（請求項１）。
【００１１】
かかる本発明のＦＭ送信回路によれば、制御電圧記憶部に予め個体毎の適切な制御電圧設定値を記憶させておくことにより、制御部が上記制御電圧設定値に基づく制御バイアス電圧を生成して電圧制御発振器に出力し、これにより電圧制御発振器の発振周波数を補正することができ、電圧制御発振器を構成する発振回路の構成部品に個体差があっても発振周波数の均質化を図ることができる。さらに、制御電圧記憶部を書換可能不揮発性メモリにより構成することにより、製造検査工程において適宜の自動校正方法によって制御電圧記憶部に記憶された制御電圧設定値を自動校正させることができ、各個体の調整作業の迅速化による生産性の向上並びに製造コスト低減を図ることができる。なお、制御バイアス電圧に音声増幅信号が重畳するように電圧制御発振器に出力することもでき、また、共振回路を構成するバリキャップなどの可変容量素子の基準電位を調整するように電圧制御発振器に出力することも可能である。
【００１２】
上記本発明のＦＭ送信回路において、前記制御部は、前記ＦＭ変調回路の出力信号を検査する外部の検査装置の出力信号を入力して前記検査装置の出力信号に基づいて前記制御電圧記憶部に記憶された制御電圧設定値を書き換えるするように構成されているものとすることができる（請求項２）。これによれば、各個体の製造検査工程において、所定の試験信号を増幅回路に入力させつつ該増幅回路及びＦＭ変調回路を動作させて該ＦＭ変調回路の出力信号（ＦＭ変調波）を検査装置に入力させて検査し、この検査に基づく検査装置の出力信号を制御部に出力することによって、制御部が制御電圧記憶部に記憶された制御電圧設定値を自動校正させることができる。
【００１３】
なお、検査装置の回路構成や、検査装置の出力信号は適宜のものであってよい。例えば、検査装置は、ＦＭ変調信号の周波数を測定する周波数カウンタと、該周波数カウンタの測定周波数の値自体をデジタル通信によってＦＭ送信回路の制御部に出力する通信装置とを備えることができ、この場合、ＦＭ送信回路の制御部が測定周波数と目標周波数との比較を行って、測定周波数が目標周波数となるように制御電圧記憶部に記憶された制御電圧設定値を書き換えるように構成できる。また、検査装置は、ＦＭ変調信号の周波数を測定し、測定周波数が目標周波数よりも小さい場合には制御電圧設定値を増加させる指令信号をＦＭ送信回路の制御部に上記出力信号として出力する一方、測定周波数が目標周波数よりも大きい場合には制御電圧設定値を減少させる指令信号をＦＭ送信回路の制御部に上記出力信号として出力するように構成することもでき、この場合、ＦＭ送信回路の制御部は上記指令信号に基づいて制御電圧記憶部に記憶された制御電圧設定値を増減させるように制御構成できる。また、検査装置は、周波数カウンタの測定周波数と目標周波数との比較に基づいて制御電圧記憶部に記憶させる制御電圧設定値をＦＭ送信回路の制御部に出力するものであってもよく、この場合、ＦＭ送信回路の制御部は受信した制御電圧設定値をそのまま制御電圧記憶部に記憶させるように構成できる。
【００１４】
また、上記本発明のＦＭ送信回路は、給湯装置などにおけるリモコン装置内蔵のインターホン回路の送信回路部として好適に用いることができる。該リモコン装置は、他のリモコン装置や給湯器との間でデジタル通信を行うための２芯通信回路を備えることができ、該デジタル通信用の通信ケーブルを利用して、ＦＭ送信回路が出力するＦＭ変調信号を送信するものとすることができる。そして、上記検査装置とＦＭ送信回路との間のＦＭ変調回路の出力信号及び検査装置の出力信号の送受信は、上記通信ケーブルを用いて行うことができ、また、検査装置の出力信号を上記２芯通信回路から入力させることによって、追加回路が不要となる。
【００１５】
また、本発明は、音声を入力して該音声に対応するアナログ音声信号を出力する音声信号入力部と、該音声信号入力部が出力するアナログ音声信号を増幅する増幅回路と、該増幅回路により増幅された音声増幅信号の振幅を補正する振幅補正回路と、前記音声増幅信号を前記振幅補正回路を介して入力して周波数変調を行うＦＭ変調回路と、書換可能不揮発性メモリにより構成した制御電圧記憶部とを備え、前記ＦＭ変調回路は前記音声増幅信号の電位に応じて発振周波数が変化する電圧制御発振器により主構成され、動作時に前記制御電圧記憶部に記憶された制御電圧設定値に基づいて前記音声増幅信号に対する制御バイアス電圧を生成して前記電圧制御発振器に出力するＦＭ送信回路における制御電圧校正方法であって、前記制御電圧記憶部に記憶された制御電圧設定値を、前記ＦＭ変調回路の出力信号を検査する外部の検査装置の出力信号に基づいて予め設定しておくことを特徴とするものである（請求項３）。
【００１６】
かかる本発明のＦＭ送信回路における制御電圧校正方法によれば、制御電圧記憶部に予め個体毎の適切な制御電圧設定値を記憶させておくことにより、上記制御電圧設定値に応じた制御バイアス電圧によって電圧制御発振器の発振周波数を適切に調整することができ、発振回路構成素子に個体差があっても電圧制御発振器の発振周波数の均質化を図ることができる。さらに、制御電圧記憶部を書換可能不揮発性メモリにより構成することにより、製造検査工程において、所定の試験信号を増幅回路に入力させつつ該増幅回路及びＦＭ変調回路を動作させて該ＦＭ変調回路の出力信号を検査装置に入力させて検査し、この検査に基づく出力信号を制御部に出力することによって、制御部によって制御電圧記憶部に記憶された制御電圧設定値を自動校正させることができる。
【発明の効果】
【００１７】
以上説明したように、本発明の請求項１に係るＦＭ送信回路によれば、制御電圧記憶部に予め個体毎の適切な制御電圧設定値を記憶させておくことにより、制御部が上記制御電圧設定値に基づく制御バイアス電圧を生成して電圧制御発振器に出力し、これにより電圧制御発振器の発振周波数を補正することができ、電圧制御発振器を構成する発振回路の構成部品に個体差があっても発振周波数の均質化を図ることができる。さらに、制御電圧記憶部を書換可能不揮発性メモリにより構成することにより、製造検査工程において適宜の自動校正方法によって制御電圧記憶部に記憶された制御電圧設定値を自動校正させることができ、各個体の調整作業の迅速化による生産性の向上並びに製造コスト低減を図ることができる。
【００１８】
また、本発明の請求項２に係るＦＭ送信回路によれば、各個体の製造検査工程において、所定の試験信号を増幅回路に入力させつつ該増幅回路及びＦＭ変調回路を動作させて該ＦＭ変調回路の出力信号（ＦＭ変調波）を検査装置に入力させて検査し、この検査に基づく検査装置の出力信号を制御部に出力することによって、制御部が制御電圧記憶部に記憶された制御電圧設定値を自動校正させることができる。
【００１９】
また、本発明の請求項３に係るＦＭ送信回路における制御電圧校正方法によれば、制御電圧記憶部に予め個体毎の適切な制御電圧設定値を記憶させておくことにより、上記制御電圧設定値に応じた制御バイアス電圧によって電圧制御発振器の発振周波数を適切に調整することができ、発振回路構成素子に個体差があっても電圧制御発振器の発振周波数の均質化を図ることができる。さらに、制御電圧記憶部を書換可能不揮発性メモリにより構成することにより、製造検査工程において、所定の試験信号を増幅回路に入力させつつ該増幅回路及びＦＭ変調回路を動作させて該ＦＭ変調回路の出力信号を検査装置に入力させて検査し、この検査に基づく出力信号を制御部に出力することによって、制御部によって制御電圧記憶部に記憶された制御電圧設定値を自動校正させることができる。
【図面の簡単な説明】
【００２０】
【図１】本発明の一実施形態に係るＦＭ送信回路を備える給湯装置用リモコンの回路構成を示す回路図である。
【図２】同送信回路のＦＭ変調回路を構成するＬＣ共振回路部の要部拡大図である。
【図３】同送信回路のＦＭ変調回路の発振周波数校正方法の一例を示すブロック図である。
【発明を実施するための形態】
【００２１】
以下、本発明の好適な実施形態を図面に基づいて説明する。
【００２２】
図１及び図２は本発明の一実施形態に係るＦＭ送信回路を備える給湯器用リモコン１の回路構成を示しており、基本構成や給湯器（図示せず）との接続態様等は上記特許文献１に開示されたものと同様であって、台所リモコン及び風呂リモコンはいずれも図１に示す回路構成を具備することができるが、風呂リモコン（図示せず）においては、後述するライン入力回路を省略することもできる。
【００２３】
以下、台所リモコン及び風呂リモコンに共通する構成を図１を参照しつつ説明すると、各リモコン１は、給湯器を遠隔操作するための操作装置であって、マイコンにより主構成される制御部２と、インターホン機能による通話操作や給湯器に対する遠隔操作やリモコン１の各種設定操作などを行うための各種操作スイッチにより構成される操作部３と、給湯器の動作状態やリモコン１の設定内容などを制御部２による表示制御によって表示する表示部４と、給湯器の制御部や他のリモコンの制御部との間で制御信号（デジタル信号）の送受信を行うための２芯通信回路５と、他のリモコンとの間の通話機能を実現するためのインターホン回路６とを備え、該インターホン回路６はＦＭ送信回路及びＦＭ受信回路によって構成されている。
【００２４】
制御部２は、操作部３の操作内容に応じて給湯器や他のリモコンに与える制御信号を生成したり、給湯器や他のリモコンから与えられる制御信号に基づいて表示部４の表示制御を行ったり、リモコン１の制御部２の内部設定（たとえば、給湯設定温度など）を操作部３の操作内容に応じて変更するなどの制御を行うように構成されている。また、制御部２は、インターホン回路６のＦＭ送信回路における周波数変調の為の発振周波数を調整する制御部としても機能するものである。
【００２５】
２芯通信回路５は、例えばＥＩＡ−４８５規格のシリアル通信回路により構成することができ、２芯の通信ケーブル７を介して給湯器や他のリモコンの２芯通信回路に接続され、該通信ケーブル７を介して各種制御信号の送受信を行うことができるようになっている。２芯通信回路５が送受信する制御信号は、好ましくはＡＳＫ変調され、その搬送波の周波数はインターホン回路６が利用する搬送波の周波数よりもかなり大きく、例えば数ＭＨｚとしている。
【００２６】
インターホン回路６は、上記通信ケーブル７を介して他のリモコンと音声信号を送受信するための通信回路であって、インターホン回路６のＦＭ送信回路は、音声を入力して該音声に対応するアナログ音声信号を出力するマイク８（音声信号入力部）と、マイク８が出力する微弱なアナログ音声信号を増幅するマイクアンプ９（増幅回路）と、該マイクアンプ９によって増幅されたアナログ音声信号を入力して周波数変調を行うＦＭ変調回路１１とにより主構成されている。なお、マイクアンプ９とＦＭ変調回路１１との間に適宜の振幅補正回路その他のフィルタ回路などを設けることもできる。
【００２７】
マイク８の出力部にはバイアス抵抗Ｒ１及びデカップリングコンデンサＣ１を介してバイアス電圧が印加されており、マイク８が出力するアナログ音声信号はカップリングコンデンサＣ２を介してマイクアンプ９に入力されている。また、カップリングコンデンサＣ２の出力側は制御部２によってオンオフ制御されるスイッチング素子Ｑ１（図示例ではＮＰＮトランジスタ）を介してグラウンドＧＮＤに接続されており、該スイッチング素子Ｑ１のオン時に音声信号がミュートされるようになっている。
【００２８】
マイクアンプ９は、負帰還のオペアンプによって主構成され、そのゲインは１００〜２００倍程度の所定値として設計されているとともに、図示実施例では２０Ｈｚ〜１０ｋＨｚ程度の可聴域の信号を選択的に増幅するバンドパスフィルタとして構成されている。オペアンプの正側入力端子には、バイアス抵抗Ｒ２，Ｒ３及びデカップリングコンデンサＣ３を介してバイアス電圧が印加されている。
【００２９】
マイクアンプ９が出力する音声増幅信号は、カップリングコンデンサＣ４を介してＦＭ変調回路１１に入力されている。このＦＭ変調回路１１は電圧制御発振器１２（ＶＣＯ）によって主構成されており、該電圧制御発振器１２の出力側にはバッファアンプ１３が設けられ、該バッファアンプ１３及びダイオードブリッジ１９を介してＦＭ変調信号（音声送信信号）を２芯ケーブル７に出力し、該ケーブル７を介してＦＭ変調信号が他のリモコンに送信されるように構成されている。電圧制御発振器１２は、図２にも示すようにバリキャップ１４及びコイル１５により主構成されるＬＣ共振回路を有している。バリキャップ１４のアノード側はグラウンドに接続され、バリキャップ１４のカソード側にマイクアンプ９が出力する音声増幅信号がカップリングコンデンサＣ４を介して入力されている。また、バリキャップ１４のカソード側には、制御部２から所定の制御バイアス電圧が印加され、該バイアス電圧によって上記音声増幅信号の電位を調整し、これにより電圧制御発振器１２の発振周波数が調整されるようになっている。
【００３０】
制御部２は、作業領域としてのＲＡＭや、各種設定値保存用のフラッシュメモリ（書換可能不揮発性メモリ）などを備えることができ、フラッシュメモリには、上記制御バイアス電圧の値を決定するための制御電圧設定値が記憶されている。この制御電圧設定値が記憶された記憶領域によって制御電圧記憶部が構成されている。そして、制御電圧記憶部に記憶された制御電圧設定値に応じた大きさの制御バイアス電圧が電圧制御発振器１２に出力されるように構成されている。なお、制御バイアス電圧は、制御部２を構成するマイコンのアナログ出力ポートから出力させてもよいし、また、マイコンのデジタル出力ポートから制御電圧設定値に応じたデューティ比のＰＷＭ制御信号を出力し、該ＰＷＭ制御信号をローパスフィルター（ＬＰＦ）に通すことによって一定電位の制御バイアス電圧を生成して電圧制御発振器１２に出力させてもよい。
【００３１】
なお、本実施形態では、マイク８並びにマイクアンプ９と並列にライン入力回路が設けられている。このライン入力回路は、音楽プレーヤーなどからの音声出力信号を入力するライン入力端子２０と、ライン入力端子２０からの入力信号をミュートするための電界効果トランジスタＱ３とが設けられ、該トランジスタＱ３も制御部２によってオンオフ制御される。ライン入力回路には増幅回路は設けられておらず、ライン入力回路の出力端はＦＭ変調回路１１の入力部に接続されている。
【００３２】
インターホン回路６のＦＭ受信回路は、２芯通信ケーブル７からＦＭ変調信号を入力してこれを復調するＦＭ復調回路１６（ＦＭ検波回路）と、該ＦＭ復調回路１６によって復調された音声信号を増幅するスピーカアンプ１７と、該スピーカアンプ１７の出力によって駆動されるスピーカ１８とを備えている。スピーカアンプ１７は、制御部２からの制御信号によってミュート動作可能に構成されている。
【００３３】
本実施形態のインターホン回路では、制御部２は、送信時にはＦＭ受信回路における復調信号をミュートする一方、受信時にはＦＭ送信回路における音声信号をミュートすることによって、他のリモコンとの間で交互に通話できるように構成している。なお、各リモコンのＦＭ変調回路の搬送波の周波数を変えることによって双方向同時通話機能を実現することも可能であり、その他従来公知の適宜の通話方式を採用することができる。
【００３４】
次に、制御電圧記憶部に記憶された制御電圧設定値の校正方法について説明する。上記実施形態のリモコン１では、製造時の個体差によってインターホン回路６の電圧制御発振器１２のＬＣ共振周波数にばらつきが生じるため、製造検査工程において製品全数に対して以下説明する方法によって制御電圧記憶部に記憶された制御電圧設定値の校正を行っている。
【００３５】
図３には、図１に示したリモコン１の構成中の制御電圧設定値の校正に関連する構成をより簡素化してブロック構成図として示しているとともに、該リモコン１に２芯通信ケーブル７を介して検査装置２１を接続した状態を示している。検査装置２１は、２芯通信ケーブル７からＦＭ変調信号を入力するためのバッファアンプ２２及びリモコン１の２芯通信回路５との間で相互にデジタル通信を行うための２芯通信回路２３を内蔵する検査治具と、バッファアンプ２２を介して上記ＦＭ変調信号を入力してその周波数を測定する周波数カウンタ２４と、該周波数カウンタ２４の測定結果である上記ＦＭ変調信号の測定周波数を入力して所定の処理を行うコンピュータなどの制御機器２５とを備えている。なお、図示実施例では検査治具、周波数カウンタ２４及び制御機器２５を別体に構成したが、これらを一つの装置として一体に構成してもよい。また、周波数カウンタ２４と制御機器２５との間の通信方式はＧＰ−ＩＢやＵＳＢ接続などの適宜の方式であってよい。
【００３６】
制御電圧設定値の校正は、まず、試験信号発生器２６からプローブ等を用いて所定の周波数の試験音声信号をマイクアンプ９の入力側に入力させ、トランジスタＱ１をオフすることで、ＦＭ変調回路１１から試験音声信号に対応するＦＭ変調信号を出力させる。なお、試験音声信号としては、例えば、周波数１ｋＨｚ、実効電圧１０ｍＶの正弦波とすることができ、その他適宜の波形や周波数の試験信号を用いることができる。また、校正動作時には、制御部２はスピーカアンプ１４に対してミュート信号を送信し、自身のスピーカー１５から音声出力されないように制御する。
【００３７】
リモコン１から出力されたＦＭ変調信号は、２芯通信ケーブル７及びバッファアンプ２を介して周波数カウンタ２４に入力されて、ＦＭ変調信号の周波数が測定される。該測定値はリアルタイムに制御機器２５に入力され、該制御機器２５は、測定値を所定の目標周波数と比較して、測定値が目標周波数となるように２芯通信回路２３，５を介してリモコン１の制御部２に指令制御信号を出力し、リモコン１の制御部２は、指令制御信号に基づいて制御電圧記憶部に記憶された制御電圧設定値を増減するように構成されている。制御電圧設定値が変更されると、これに応じて制御部２から出力される制御バイアス電圧も調整され、これによりＦＭ変調信号の周波数が自動校正されることとなる。制御機器２５は、測定値が目標周波数となったときに校正終了を適宜の報知手段によって作業員に報知するように構成しておくことができる。なお、制御機器２５が測定値と目標周波数との比較を行うのではなく、制御機器２５は測定値をそのまま２芯通信回路２３，５を介して制御部２に送信し、制御部２自身により上記判定装置２３と同様の判定制御を行わせることもできる。
【００３８】
本実施形態に係るリモコン１によれば、インターホン回路６のＦＭ送信回路のＦＭ変調回路１１における発振周波数を制御部２によって自動校正することが可能になるため、すべての回路構成をケーシングした状態でも再調整を行うことができ、製造検査工程の作業効率を向上させ、これによりコスト削減を行うことができるとともに、校正精度を向上することができる。
【００３９】
本発明は、上記実施形態に限定されるものではなく、適宜設計変更できる。例えば、バリキャップ１４のアノード端子とグラウンドとの間に負荷抵抗を設けて、制御バイアス電圧を、電圧制御発振器１２のバリキャップ１４のアノード側に印加してもよく、その他、音声増幅信号に対するバイアスとして作用する適宜の回路構成とすることができる。また、検査装置２１は、２芯通信ケーブル７を用いてリモコン１との入出力を行うものではなく、プローブや専用接続配線を用いて入出力を行う構成であってもよい。
【符号の説明】
【００４０】
１  リモコン
２  制御部
８  音声信号入力部（マイク）
９  増幅回路（マイクアンプ）
１１  ＦＭ変調回路
１２  電圧制御発振器
２１  検査装置
【図１】
2015159443.tif 000003
【図２】
2015159443.tif 000004
【図３】
2015159443.tif 000005